(57)【特許請求の範囲】
【請求項１】
幅方向と前後方向を有し、おむつ本体の幅方向の両側に止着テープが設けられた使い捨ておむつであって、
前記止着テープは、テープ基材と、前記テープ基材の肌面側に設けられた第１留め具と第２留め具とを有し、前記おむつ本体に取り付けられた固定部と、前記固定部から幅方向に延在する中間部と、前記中間部から幅方向に延在し前後方向に離隔して設けられた第１つまみ部と第２つまみ部とを有し、前記第１つまみ部に前記第１留め具が設けられ、前記第２つまみ部に前記第２留め具が設けられ、
前記止着テープは、前記第１つまみ部が第１折り目で前記第１留め具を内側にして幅方向の内方に折り返され、前記第２つまみ部が第２折り目で前記第２留め具を内側にして幅方向の内方に折り返されて、前記第１つまみ部に重ね合わされ、さらに第３折り目で前記第１つまみ部と前記第２つまみ部を内側にして幅方向の内方に折り返されており、
前記第３折り目で折り返された状態で、肌面側から見て、前記第１つまみ部の先端部と前記第２つまみ部の先端部が露出していないことを特徴とする使い捨ておむつ。
【請求項２】
前記第１つまみ部と前記第２つまみ部は前記第３折り目で折り返されていない請求項１に記載の使い捨ておむつ。
【請求項３】
前記第３折り目は、前記止着テープの中間部に形成されている請求項１または２に記載の使い捨ておむつ。
【請求項４】
前記第１折り目および／または前記第２折り目は、前後方向に対して斜めに延びるように形成されている請求項１〜３のいずれか一項に記載の使い捨ておむつ。
【請求項５】
前記第１折り目と前記第２折り目の一方は前後方向に延びるように形成され、前記第１折り目と前記第２折り目の他方は前後方向に対して斜めに延びるように形成されている請求項１〜４のいずれか一項に記載の使い捨ておむつ。
【請求項６】
前記第１つまみ部と前記第２つまみ部の重ね合わせ部において、前記第２つまみ部は前記第２留め具で前記第１つまみ部に仮留めされている請求項１〜５のいずれか一項に記載の使い捨ておむつ。
【請求項７】
前記第２つまみ部には前記第２留め具が複数設けられ、前記第２つまみ部は複数の前記第２留め具の間で前記第１つまみ部と重ね合わされている請求項１〜５のいずれか一項に記載の使い捨ておむつ。
【請求項８】
前記第１つまみ部と前記第２つまみ部の重ね合わせ部において、前記第２つまみ部は、接着剤、溶着または圧着により形成された仮接合部で前記第１つまみ部に仮留めされている請求項１〜５、７のいずれか一項に記載の使い捨ておむつ。
【請求項９】
前記仮接合部は、散点状またはストライプ状のパターンで設けられている請求項８に記載の使い捨ておむつ。
【請求項１０】
前記第１つまみ部は前記第１留め具で前記止着テープの中間部に仮留めされている請求項１〜９のいずれか一項に記載の使い捨ておむつ。
【発明の詳細な説明】
【技術分野】
【０００１】
本発明は、止着テープを備えた使い捨ておむつに関するものであり、詳細には、折り畳まれた止着テープを有する使い捨ておむつに関するものである。
【背景技術】
【０００２】
従来、止着テープを備えたいわゆるテープタイプの使い捨ておむつが広く知られている。例えば特許文献１には、本体部の後方部の両側部にそれぞれ長手方向に配列されて左右方向に延びる２つの止着テープが設けられた使い捨ておむつが開示され、２つの止着テープはそれぞれ、テープ基部に第１止着部とそれより本体部側に第２止着部が設けられて構成され、一方の止着テープの第１止着部の先端側のエッジと第２止着部の本体部側のエッジとの間の距離が、他方の止着テープにおける第１止着部と第２止着部との間におけるテープ基部の幅よりも大きく形成されている。特許文献２には、本体部の後方部の両側部に止着テープを備えた使い捨ておむつであって、止着テープは先端側から第１止着部と第２止着部を有し、第１止着部と第２止着部の間で止着テープが折り返された使い捨ておむつが開示されている。
【先行技術文献】
【特許文献】
【０００３】
【特許文献１】特開２０１１−１４７７１１号公報
【特許文献２】特開２０１１−１４７７１２号公報
【発明の概要】
【発明が解決しようとする課題】
【０００４】
特許文献１に開示される使い捨ておむつは、着用の際、本体部の後方部の両側部に長手方向に配列された２つの止着テープを、互いにクロスさせるように重ね合わせて本体部の前方部に止着する、いわゆる重ね留めに適したものとなっている。このように止着テープを重ね留めにより本体部の前方部に止着することにより、本体部の前方部および後方部が着用者の腰周りにフィットするとともに、本体部の両側端部が着用者の両脚の付け根付近にフィットするものとなる。一方、このように止着テープを重ね留めして使い捨ておむつを着用することに慣れていない使用者もおり、より簡単に止着テープの重ね留めができる使い捨ておむつがあれば望ましい。
【０００５】
本発明は前記事情に鑑みてなされたものであり、その目的は、おむつ本体の幅方向の両側に止着テープが設けられた使い捨ておむつであって、着用の際に止着テープの重ね留めを容易に行うことができる使い捨ておむつを提供することにある。
【課題を解決するための手段】
【０００６】
前記課題を解決することができた本発明の使い捨ておむつとは、幅方向と前後方向を有し、おむつ本体の幅方向の両側に止着テープが設けられたものであり；止着テープは、テープ基材と、テープ基材の肌面側に設けられた第１留め具と第２留め具とを有し、おむつ本体に取り付けられた固定部と、固定部から幅方向に延在する中間部と、中間部から幅方向に延在し前後方向に離隔して設けられた第１つまみ部と第２つまみ部とを有し、第１つまみ部に第１留め具が設けられ、第２つまみ部に第２留め具が設けられ；止着テープは、第１つまみ部が第１折り目で第１留め具を内側にして幅方向の内方に折り返され、第２つまみ部が第２折り目で第２留め具を内側にして幅方向の内方に折り返されて、第１つまみ部に重ね合わされ、さらに第３折り目で第１つまみ部と第２つまみ部を内側にして幅方向の内方に折り返されており；第３折り目で折り返された状態で、肌面側から見て、第１つまみ部の先端部と第２つまみ部の先端部が露出していないところに特徴を有する。
【０００７】
本発明の使い捨ておむつは、第１つまみ部と第２つまみ部が重ね合わされた状態で止着テープが折り畳まれているため、使い捨ておむつの着用の際、第１つまみ部と第２つまみ部が重ね合わされた状態で止着テープを使用することを使用者が自然に行うことができる。そのため、使い捨ておむつの着用の際に、止着テープの重ね留めを容易に行うことができる。このように第１つまみ部と第２つまみ部を互いに重ね合わせて止着テープをおむつ本体の前側部に止着させると、止着テープによって着用者の骨盤の側面が上方側および下方側からサポートされて、使い捨ておむつの着用者の腰周りへのフィット性や両脚の付け根付近でのフィット性を高めることができる。止着テープは、このように第１つまみ部と第２つまみ部が重ね合わされた上で、肌面側から見て、第１つまみ部の先端部と第２つまみ部の先端部が露出しないように第３折り目で幅方向の内方に折り畳まれている。これにより、止着テープを折り畳んだ状態で、第１つまみ部と第２つまみ部の重ね合わせ状態が安定して保持される。そのため、使い捨ておむつの使用前あるいは止着テープの折り畳みを展開する際に、第１つまみ部と第２つまみ部の重ね合わせ状態が解除されにくく、止着テープの重ね留めに不慣れな使用者でも容易に止着テープの重ね留めを行うことができる。
【０００８】
第１つまみ部と第２つまみ部は第３折り目で折り返されていないことが好ましい。これにより、第１つまみ部と第２つまみ部が過剰に折り返されず、止着テープの折り畳みを展開して止着テープを使用する際に、止着テープの取り扱い性が良好となる。
【０００９】
第３折り目は、止着テープの中間部に形成されていることが好ましい。第３折り目が中間部に形成されることにより、止着テープをおむつ本体と重ねてコンパクトに折り畳むことができ、また止着テープを第３折り目で安定して折り返すことができる。
【００１０】
第１折り目および／または第２折り目は、前後方向に対して斜めに延びるように形成されていることが好ましい。これにより第１つまみ部を第１折り目で折り返し、第２つまみ部を第２折り目で折り返して、第２つまみ部を第１つまみ部に重ね合わせた状態とすることが容易になる。
【００１１】
第１折り目と第２折り目の一方は前後方向に延びるように形成され、第１折り目と第２折り目の他方は前後方向に対して斜めに延びるように形成されていてもよい。このように第１つまみ部と第２つまみ部が第１折り目と第２折り目でそれぞれ折り返されていても、第２つまみ部を第１つまみ部に重ね合わせることができる。
【００１２】
第１つまみ部と第２つまみ部の重ね合わせ部において、第２つまみ部は第２留め具で第１つまみ部に仮留めされていることが好ましい。これにより、第１つまみ部と第２つまみ部の重ね合わせ状態が安定化される。
【００１３】
第２つまみ部には第２留め具が複数設けられ、第２つまみ部は複数の第２留め具の間で第１つまみ部と重ね合わされていることも好ましい。これにより、使い捨ておむつの着用の際、第１つまみ部と第２つまみ部を重ね合わせた状態で、第２つまみ部を第２留め具によっておむつ本体の前側部により強固に止着することが可能となる。
【００１４】
第１つまみ部と第２つまみ部の重ね合わせ部において、第２つまみ部は、接着剤、溶着または圧着により形成された仮接合部で第１つまみ部に仮留めされていることも好ましい。このように第２つまみ部が仮接合部で第１つまみ部に仮留めされることにより、止着テープを折り畳んだ状態で、第１つまみ部と第２つまみ部の重ね合わせ状態が安定化される。また、使い捨ておむつの着用の際、第１つまみ部と第２つまみ部を重ね合わせた状態で止着テープの折り畳みを展開し、おむつ本体の前側部に止着することが容易になる。
【００１５】
仮接合部は、散点状またはストライプ状のパターンで設けられていることが好ましい。このように仮接合部が形成されることにより、第２つまみ部の第１つまみ部への仮留めを解除することが容易になる。
【００１６】
第１つまみ部は第１留め具で止着テープの中間部に仮留めされていることが好ましい。これにより、第１つまみ部が第１折り目で折り返された状態を安定して保持することができる。また、第１留め具がおむつ本体ではなく止着テープの中間部に仮留めされることにより、第１留め具によっておむつ本体が損傷することを防ぐことができる。
【発明の効果】
【００１７】
本発明の使い捨ておむつは、第１つまみ部と第２つまみ部が重ね合わされた状態で止着テープが折り畳まれているため、使い捨ておむつの着用の際、第１つまみ部と第２つまみ部が重ね合わされた状態で止着テープを使用することを使用者が自然に行うことができる。そのため、使い捨ておむつの着用の際に、止着テープの重ね留めを容易に行うことができる。止着テープはまた、このように第１つまみ部と第２つまみ部が重ね合わされた上で、肌面側から見て、第１つまみ部の先端部と第２つまみ部の先端部が露出しないように第３折り目で幅方向の内方に折り畳まれている。これにより、止着テープを折り畳んだ状態で、第１つまみ部と第２つまみ部の重ね合わせ状態が安定して保持される。そのため、使い捨ておむつの使用前あるいは止着テープの折り畳みを展開する際に、第１つまみ部と第２つまみ部の重ね合わせ状態が解除されにくく、止着テープの重ね留めに不慣れな使用者でも容易に止着テープの重ね留めを行うことができる。
【図面の簡単な説明】
【００１８】
【図１】本発明の使い捨ておむつの一例を表し、使い捨ておむつを肌面側から見た平面図を表す。
【図２】図１に示した使い捨ておむつのＩＩ−ＩＩ断面図を表す。
【図３】図１に示した使い捨ておむつの右側に取り付けられた止着テープの拡大平面図を表す。
【図４】図３に示した止着テープのＩＶ−ＩＶ断面図を表す。
【図５】図３に示した止着テープを第１折り目と第２折り目で折り返した状態を肌面側から見た平面図を表す。
【図６】図５に示した止着テープをさらに第３折り目で折り返した状態を肌面側から見た平面図を表す。
【図７】本発明の使い捨ておむつに備えられる止着テープの他の一例を表し、止着テープを展開した状態を肌面側から見た平面図を表す。
【図８】図７に示した止着テープを第１折り目と第２折り目で折り返した状態を肌面側から見た平面図を表す。
【図９】図８に示した止着テープをさらに第３折り目で折り返した状態を肌面側から見た平面図を表す。
【図１０】本発明の使い捨ておむつに備えられる止着テープのさらに他の一例を表し、止着テープを展開した状態を肌面側から見た平面図を表す。
【図１１】図１０に示した止着テープを第１折り目と第２折り目で折り返した状態を肌面側から見た平面図を表す。
【図１２】図１１に示した止着テープをさらに第３折り目で折り返した状態を肌面側から見た平面図を表す。
【図１３】本発明の使い捨ておむつに備えられる止着テープのさらに他の一例を表し、止着テープを展開した状態を肌面側から見た平面図を表す。
【図１４】図１３に示した止着テープを第１折り目と第２折り目で折り返した状態を肌面側から見た平面図を表す。
【図１５】図１４に示した止着テープをさらに第３折り目で折り返した状態を肌面側から見た平面図を表す。
【図１６】本発明の使い捨ておむつの着用状態の斜視図の一例を表す。
【発明を実施するための形態】
【００１９】
本発明の使い捨ておむつについて、図面を参照して説明する。なお本発明は、図面に示された実施態様に限定されるものではない。図１〜図６には、本発明の使い捨ておむつの一例を示した。図１は、止着テープを備えた使い捨ておむつを肌面側から見た平面図を表し、図２は、図１に示した使い捨ておむつのＩＩ−ＩＩ断面図を表す。図１では、図面の上側がおむつの前側に相当し、図面の下側がおむつの後側に相当する。図１に示した使い捨ておむつにおいて、おむつの右側に取り付けられた止着テープは、止着テープを展開した状態を表し、おむつの左側に取り付けられた止着テープは、止着テープを折り畳んだ状態を表す。図３は、図１に示した使い捨ておむつに備えられた展開状態の止着テープの拡大平面図を表し、図４は、図３に示した止着テープのＩＶ−ＩＶ断面図を表し、図５は、図３に示した止着テープを第１折り目と第２折り目で折り返した状態を肌面側から見た平面図を表し、図６は、図５に示した止着テープをさらに第３折り目で折り返した状態を肌面側から見た平面図を表す。本願の図では、矢印ｘが幅方向、矢印ｙが前後方向を表し、矢印ｘ，ｙにより形成される面に対して垂直方向が厚み方向ｚを表す。
【００２０】
使い捨ておむつ１は、おむつ本体２と、おむつ本体２の幅方向ｘの両側に設けられた止着テープ２１とを有する。おむつ本体２は、前側部と後側部とこれらの間に位置する股部とを有し、止着テープ２１がおむつ本体２の後側部の両側に取り付けられている。使い捨ておむつ１は、着用の際、前側部を着用者の腹部に、股部を着用者の股間部に、後側部を着用者の背部に当て、止着テープ２１をおむつ本体２の前側部に止着することで、図１６に示すようなパンツ形状に形成して使用する。例えば、おむつ本体２の前側部の外側面に止着対応部１０が設けられ、止着テープ２１を止着対応部１０に止着することで、使い捨ておむつ１を着用することができる。
【００２１】
使い捨ておむつ１は、前後方向ｙと幅方向ｘを有する。前後方向ｙと幅方向ｘは、使い捨ておむつ１を平面状に広げた状態で規定される。前後方向ｙとは、使い捨ておむつを着用した際に着用者の股間の前後方向に延びる方向に相当する。幅方向ｘとは、使い捨ておむつと同一面上にあり前後方向ｙと直交する方向を意味し、使い捨ておむつを着用した際の着用者の左右方向に相当する。また本発明において、使い捨ておむつの肌面側とは、使い捨ておむつを着用した際の着用者の肌に向く側を意味し、使い捨ておむつの外側とは、使い捨ておむつを着用した際の着用者とは反対に向く側を意味する。
【００２２】
おむつ本体２は、例えば、トップシート３とバックシート４の間に吸収体５が配されて構成される。トップシート３は、使い捨ておむつを着用した際に着用者側に位置するシートであり、バックシート４は、使い捨ておむつを着用した際に着用者とは反対側、すなわち外側に位置するシートである。着用者から排泄された尿等は、トップシート３を透過して吸収体５に収容される。バックシート４は、排泄物が外部へ漏れるのを防ぐ。
【００２３】
トップシート３は液透過性であることが好ましく、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシート３として、織布、編布、有孔樹脂フィルム等を用いてもよい。
【００２４】
バックシート４は液不透過性であることが好ましく、ポリオレフィン（例えば、ポリプロピレン、ポリエチレン）、ポリエステル（例えば、ＰＥＴ）、ポリアミド（例えば、ナイロン）等の疎水性繊維から形成された不織布や、樹脂フィルム等を用いることができる。またバックシート４として、不織布とフィルムとの積層体を用いてもよい。
【００２５】
吸収体５は、尿等の排泄物を吸収できる吸収性材料を含むものであれば特に限定されない。吸収体５としては、例えば、吸収性材料を所定形状に成形した成形体を用いたり、あるいは当該成形体を紙シート（例えば、ティッシュペーパーや薄葉紙）や液透過性不織布等の被覆シートで覆ったものを用いることができる。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱溶着性繊維が含まれてもよい。これらの熱溶着性繊維は、尿等との親和性を高めるために、界面活性剤等により親水化処理がされていてもよい。
【００２６】
吸収性材料は、尿等の吸収速度を高める点から、親水性繊維を含むことが好ましい。また、吸収容量を高める点からは、吸収性材料は吸水性樹脂を含むことが好ましい。従って、吸収体は親水性繊維（特にパルプ繊維）と吸水性樹脂を含むことが好ましい。この場合、例えば、親水性繊維の集合体に吸水性樹脂を混合または散布したものを用いることが好ましい。
【００２７】
吸収体５は、シート状吸収体であってもよい。シート状吸収体としては、不織布間に吸水性樹脂を有しパルプ繊維を有しないように形成されたものが挙げられる。このように形成されたシート状吸収体は、不織布間に吸水性樹脂を有するため、高い吸収容量を実現できる。また、シート状吸収体は不織布間にパルプ繊維を有しないため、嵩張らず薄型に形成することができる。
【００２８】
吸収体５の形状（平面形状）は特に限定されない。吸収体（あるいは吸収体を構成する成形体）の形状は、用途に応じて適宜決定すればよく、例えば、長方形、砂時計形、ひょうたん形、羽子板形等が挙げられる。なお、吸収体が着用者の大腿部に挟まれて幅方向ｘに圧迫されても歪みにくくする点から、吸収体、あるいは吸収体を構成する成形体は、砂時計形に形成されていることが好ましい。
【００２９】
おむつ本体２には、トップシート３の幅方向ｘの両側に、トップシート３よりも幅方向ｘの外方に延在するサイドシート６が接合していることが好ましい。サイドシート６は液不透過性であることが好ましく、バックシート４に使用可能なシート材料から構成することができる。
【００３０】
サイドシート６は、トップシート３の幅方向ｘの両側に、立ち上がりフラップ７を形成することが好ましい。この場合、サイドシート６には、図２に示すように、トップシート３との接合部９よりも幅方向ｘの内方部分に前後方向ｙに延びる起立用弾性部材８が設けられることが好ましく、起立用弾性部材８の収縮力によってサイドシート６の内方部分が立ち上げられて、立ち上がりフラップ７を形成することができる。立ち上がりフラップ７を設けることにより、尿等の横漏れを防ぐことができる。立ち上がりフラップ７は前後方向ｙの端部の内面がトップシート３上に接合されてもよく、これにより、おむつを着用の際に立ち上がりフラップ７が着用者の肌に向かって立ち上がりやすくなる。
【００３１】
上記説明した各シートとして不織布を用いる場合、不織布としては、スパンボンド不織布、エアスルー不織布、ポイントボンド不織布、メルトブロー不織布、エアレイド不織布、ＳＭＳ不織布等を用いることが好ましい。各シートの単位面積あたりの質量は、１０ｇ／ｍ2以上が好ましく、１２ｇ／ｍ2以上がより好ましく、また４０ｇ／ｍ2以下が好ましく、３０ｇ／ｍ2以下がより好ましい。
【００３２】
おむつ本体２には、幅方向ｘの両側にそれぞれ、前後方向ｙに延びる脚周り弾性部材１１が設けられることが好ましい（図１を参照）。脚周り弾性部材１１を設けることにより、着用者の脚周りにギャザーを形成して脚周りのフィット性を高めたり、横漏れを防止することができる。
【００３３】
おむつ本体２には、前後方向ｙの端部に、幅方向ｘに延びるウェスト用弾性部材１２を設けてもよい。ウェスト用弾性部材１２の収縮力により、着用者の胴周りに沿ったウェストギャザーが形成され、背中側や腹部側からの尿等の排泄物の漏れが防止される。
【００３４】
上記に説明した各弾性部材としては、ポリウレタン糸、ポリウレタンフィルム、天然ゴム等の通常使い捨ておむつに用いられる弾性伸縮材料を用いることができる。弾性部材は、伸張状態で、ホットメルト接着剤等の接着剤で固定されることが好ましい。例えば、繊度４０〜１，２４０ｄｔｅｘのポリウレタン糸を、倍率１．１〜５．０倍に伸張して配設し、固定する。接着剤としては、ゴム系のホットメルト接着剤を用いることが好ましい。なお、前記倍率は、非伸張状態を１．０倍とする。
【００３５】
止着テープ２１は、図３および図４に示すように、テープ基材２２と、テープ基材２２に設けられた第１留め具２５と第２留め具２６とを有する。テープ基材２２は、第１留め具２５と第２留め具２６が設けられる第１面２３と、第１面２３の反対側の第２面２４を有する。止着テープ２１を折り畳まずに展開した状態で、第１面２３はテープ基材２２の肌面側の面に対応し、第２面２４はテープ基材２２の外側の面に対応する。
【００３６】
止着テープ２１は、おむつ本体２に取り付けられた固定部２７と、固定部２７から幅方向ｘに延在する中間部２８と、中間部２８から幅方向ｘに延在し前後方向ｙに離隔して設けられた第１つまみ部２９と第２つまみ部３０とを有する。止着テープ２１において、固定部２７と中間部２８と第１および第２つまみ部２９，３０は幅方向ｘに対して区分される。止着テープ２１を展開した状態で、固定部２７は、止着テープ２１の幅方向ｘの内方部に相当し、第１および第２つまみ部２９，３０は、止着テープ２１の幅方向ｘの外方部に相当し、中間部２８は固定部２７と第１および第２つまみ部２９，３０の間の部分に相当する。第１つまみ部２９と第２つまみ部３０の前後方向ｙの相対位置は限定されず、第１つまみ部２９が第２つまみ部３０よりも前側に位置してもよく後側に位置してもよい。図面では、第１つまみ部２９は第２つまみ部３０よりも前側に位置している。
【００３７】
テープ基材２２としては、不織布、織布、編布、樹脂フィルム、あるいはこれらの積層体等を用いることができる。なお、テープ基材２２とおむつ本体２との接着性を高める点から、テープ基材２２は、織布、編布または不織布から構成されていることが好ましく、不織布から構成されていることがより好ましい。また、テープ基材２２を不織布から構成することにより、テープ基材２２を折り返すことが容易になる。
【００３８】
テープ基材２２に不織布を用いる場合、スパンボンド不織布、エアスルー不織布、ポイントボンド不織布、メルトブロー不織布、エアレイド不織布、ＳＭＳ不織布等を用いることができるが、テープ基材２２としては、スパンボンドまたはＳＭＳ不織布を用いることが好ましく、スパンボンド不織布を用いることがより好ましい。このような不織布を用いれば、高強度のテープ基材を得やすくなる。また、テープ基材２２に用いられる不織布はエンボス加工されていることが好ましく、これによりテープ基材２２に剛性が付与され、止着テープ２１の取り扱い性が向上する。
【００３９】
テープ基材２２の単位面積あたりの質量は、５０ｇ／ｍ2以上が好ましく、５５ｇ／ｍ2以上がより好ましく、また１２０ｇ／ｍ2以下が好ましく、１００ｇ／ｍ2以下がより好ましい。テープ基材２２の単位面積あたりの質量が５０ｇ／ｍ2以上であれば、テープ基材２２が十分な剛性を有するようになり、テープ基材２２の単位面積あたりの質量が１２０ｇ／ｍ2以下であれば、テープ基材２２が厚くなりすぎず、取り扱い性が向上する。
【００４０】
固定部２７は、テープ基材２２の一方側に形成され、おむつ本体２に取り付けられる部分である。固定部２７は、接着剤や溶着等の接合手段によりおむつ本体２に固定される。テープ基材２２の固定部２７は、図４に示すように、サイドシート６とバックシート４の間に配されることが好ましく、これにより止着テープ２１をおむつ本体２に安定して取り付けることができる。
【００４１】
第１および第２つまみ部２９，３０はテープ基材２２の他方側に形成される部分であり、第１つまみ部２９と第２つまみ部３０は互いに前後方向ｙに離隔して設けられる。第１つまみ部２９の幅方向ｘの長さと第２つまみ部３０の幅方向ｘの長さは、互いに同じであっても異なっていてもよい。第１つまみ部２９と第２つまみ部３０は、互いに略平行に幅方向ｘに延びるように設けられることが好ましい。
【００４２】
第１つまみ部２９には第１留め具２５が設けられ、第２つまみ部３０には第２留め具２６が設けられる。第１つまみ部２９に設けられる第１留め具２５の数は、１つであっても複数であってもよい。第２つまみ部３０に設けられる第２留め具２６の数は、１つであっても複数であってもよい。第１留め具２５（または第２留め具２６）が複数設けられる場合、複数の第１留め具２５（または第２留め具２６）は、止着テープ２１の折り畳みを展開した状態で、互いに幅方向ｘに離隔して設けられることが好ましい。図１および図３では、第１つまみ部２９に第１留め具２５が２つ設けられ、第２つまみ部３０に第２留め具２６が２つ設けられている。なお、テープ基材２２の第２面２４には留め具は設けられないことが好ましく、また留め具は第１および第２つまみ部２９，３０のみに設けられることが好ましい。
【００４３】
第１留め具２５と第２留め具２６としては、面ファスナー（フック・ループ・ファスナー）や粘着テープを用いることができる。第１留め具２５と第２留め具２６は、おむつ本体２の前側部（具体的には止着対応部１０）と着脱可能に形成される。第１留め具２５と第２留め具２６はまた、テープ基材２２とも着脱可能であることが好ましい。
【００４４】
面ファスナーとしてはフック部材やループ部材を用いることができる。第１および第２留め具２５，２６として面ファスナーのフック部材を用いる場合は、おむつ本体２の前側部の外側面に面ファスナーのループ部材を止着対応部１０として設けたり、あるいは、おむつ本体２の前側部の外側面をループ部材として機能する材料（例えば、不織布、織布、編布等）から構成し、これを止着対応部１０としてもよい。また、テープ基材２２を、ループ部材として機能する材料（例えば、不織布、織布、編布等）から構成することが好ましい。面ファスナーのフック部材は、例えば、基盤から、錨形、鉤形、きのこ形、柱形等の形状のフックが多数突出して構成される。
【００４５】
第１および第２留め具２５，２６として粘着テープを用いる場合は、止着対応部１０として、おむつ本体２の前側部の外側面に樹脂フィルムを設けたり、おむつ本体２の前側部の外側面を樹脂フィルムから構成し、これを止着対応部１０としてもよい。また、テープ基材２２を樹脂フィルムから構成することが好ましい。
【００４６】
第１留め具２５と第２留め具２６は面ファスナーのフック部材であり、テープ基材２２は不織布から構成されることが好ましい。これにより、後述するように止着テープ２１を第１折り目Ｆ１や第２折り目Ｆ２で折り返しやすくなるとともに、止着テープ２１を第１折り目Ｆ１や第２折り目Ｆ２で折り返した際に、第１つまみ部２９を第１留め具２５でテープ基材２２に仮留めしたり、第２つまみ部３０を第２留め具２６でテープ基材２２（詳細には、第１つまみ部２９のテープ基材２２の第１面２３）に仮留めすることができる。その結果、止着テープ２１を折り畳んだ状態を安定して保持することができる。
【００４７】
中間部２８は、固定部２７と第１および第２つまみ部２９，３０との間に位置する部分である。第１つまみ部２９と第２つまみ部３０はそれぞれ中間部２８に接続し、止着テープ２１を展開した状態で、第１つまみ部２９と第２つまみ部３０は中間部２８からそれぞれ幅方向ｘの外方に延在する。固定部２７と中間部２８は、テープ基材２２がおむつ本体２に取り付けられる部分の幅方向ｘの外側縁で区分される。
【００４８】
止着テープ２１は、使用前は、図１に示した使い捨ておむつ１の左側に取り付けられた止着テープ２１のように折り畳まれている。このように止着テープ２１を折り畳むことにより、使用前の使い捨ておむつ１をコンパクトに形成することができる。以下、止着テープ２１の折り畳みについて、図３、図５および図６を参照して詳しく説明する。
【００４９】
止着テープ２１は、図３および図５に示すように、第１つまみ部２９が第１折り目Ｆ１で第１留め具２５を内側にして幅方向ｘの内方に折り返され、第２つまみ部３０が第２折り目Ｆ２で第２留め具２６を内側にして幅方向ｘの内方に折り返されて、第１つまみ部２９に重ね合わされる。第１つまみ部２９と第２つまみ部３０を重ね合わせて折り畳むことにより、使い捨ておむつ１の着用の際、図１６に示すように、第１つまみ部２９と第２つまみ部３０をクロスさせて重ね合わせた状態で止着対応部１０に止着することを、使用者が自然に行えるようになる。そのため、使い捨ておむつ１の着用の際に、止着テープ２１の重ね留めを容易に行うことができる。このように第１つまみ部２９と第２つまみ部３０を止着対応部１０に止着させると、止着テープ２１によって着用者の骨盤の側面が上方側および下方側からサポートされて、使い捨ておむつ１の着用者の腰周りへのフィット性や両脚の付け根付近でのフィット性が高まる。その結果、使い捨ておむつ１を安定して着用することができ、また着用者の脚周りや腰周りからの尿等の漏れも起こりにくくなる。より安定して使い捨ておむつ１を着用できる観点からは、着用状態でおむつ本体２側に位置する第１つまみ部２９が第２つまみ部３０よりも前側に位置することが好ましい。
【００５０】
なお、第１つまみ部２９と第２つまみ部３０をクロスさせた状態には、第１つまみ部２９と第２つまみ部３０がＸ字状に重なる状態だけでなく、第１つまみ部２９と第２つまみ部３０がＶ字状やＴ字状に重なる状態も含まれる。つまり、第１つまみ部２９の先端部は全部が第２つまみ部３０と重なってもよく、先端部の一部のみが第２つまみ部３０と重なってもよく、先端部が第２つまみ部３０と重ならなくてもよく、第２つまみ部３０の先端部は全部が第１つまみ部２９と重なってもよく、先端部の一部のみが第１つまみ部２９と重なってもよく、先端部が第１つまみ部２９と重ならなくてもよい。
【００５１】
止着テープ２１は、上記のように第１折り目Ｆ１と第２折り目Ｆ２で折り返された上で、図５および図６に示すように、さらに第３折り目Ｆ３で第１つまみ部２９と第２つまみ部３０を内側にして幅方向ｘの内側に折り返される。そして、第３折り目Ｆ３で折り返された状態で、肌面側から見て、第１つまみ部２９の先端部と第２つまみ部３０の先端部が露出していない。このように止着テープ２１が第３折り目Ｆ３で折り返されることにより、止着テープ２１を折り畳んだ状態で、第１つまみ部２９と第２つまみ部３０の重ね合わせ状態が安定して保持される。また、使い捨ておむつ１を使用する際に、止着テープ２１の第３折り目Ｆ３での折り返しを展開するときに、第１つまみ部２９の先端部または第２つまみ部３０の先端部を掴んで、第１つまみ部２９と第２つまみ部３０の重ね合わせ状態を誤って解除することが起こりにくくなる。
【００５２】
第１折り目Ｆ１は、第１つまみ部２９および／または中間部２８に形成されることが好ましい。第２折り目Ｆ２は第２つまみ部３０および／または中間部２８に形成されることが好ましい。なお、第１折り目Ｆ１と第２折り目Ｆ２は固定部２７には形成されないことが好ましい。図３、図５および図６では、第１折り目Ｆ１と第２折り目Ｆ２が中間部２８に形成されているが、例えば第１折り目Ｆ１が中間部２８から第１つまみ部２９にかけて形成され、第２折り目Ｆ２が中間部２８から第２つまみ部３０にかけて形成されてもよい。なお、第１折り目Ｆ１と第２折り目Ｆ２は互いに交差しないことが好ましい。また、第１折り目Ｆ１は第１留め具２５に形成されないことが好ましく、第２折り目Ｆ２は第２留め具２６に形成されないことが好ましい。
【００５３】
第１折り目Ｆ１および／または第２折り目Ｆ２は、前後方向ｙに対して斜めに延びるように形成されていることが好ましい。これにより第１つまみ部２９を第１折り目Ｆ１で折り返し、第２つまみ部３０を第２折り目Ｆ２で折り返した際に、第２つまみ部３０を第１つまみ部２９に重ね合わせることが容易になる。
【００５４】
止着テープ２１が第１折り目Ｆ１で折り返された状態で、第１つまみ部２９は第１留め具２５でテープ基材２２やおむつ本体２に仮留めされることが好ましい。これにより、第１つまみ部２９が第１折り目Ｆ１で折り返された状態を安定して保持することができる。より好ましくは、第１留め具２５は止着テープ２１の中間部２８に仮留めされており、これにより第１留め具２５によっておむつ本体２が損傷することを防ぐことができる。
【００５５】
止着テープ２１が第２折り目Ｆ２で折り返された状態で、第２つまみ部３０は第２留め具２６でテープ基材２２やおむつ本体２に仮留めされていることが好ましい。これにより、第２つまみ部３０が第２折り目Ｆ２で折り返された状態を安定して保持することができる。より好ましくは、第２留め具２６は、第１つまみ部２９と第２つまみ部３０の重ね合わせ部において第１つまみ部２９に仮留めされており、これにより第１つまみ部２９と第２つまみ部３０の重ね合わせ状態が安定化される。また、使い捨ておむつ１の着用の際、第１つまみ部２９と第２つまみ部３０を重ね合わせた状態で止着テープ２１の折り畳みを展開し、止着対応部１０に止着することが容易になる。第１つまみ部２９と第２つまみ部３０を互いに重ね合わせない状態で使用する場合は、第２つまみ部３０の第１つまみ部２９への仮留めを解除することで、第１つまみ部２９と第２つまみ部３０を別々に使用することができる。なお、第２留め具２６が第１つまみ部２９に仮留めされる場合、第２留め具２６はテープ基材２２の第２面２４（すなわち第１留め具２５が設けられた面と反対側の面）に仮留めされることが好ましい。一方、第２留め具２６は止着テープ２１の中間部２８に仮留めされることも好ましく、この場合も第１つまみ部２９と第２つまみ部３０の重ね合わせ状態を安定化することができる。図５では、２つの第２留め具２６の一方が第１つまみ部２９に仮留めされ、他方が中間部２８に仮留めされており、これにより、第２つまみ部３０が第２折り目Ｆ２で折り返され第１つまみ部２９と重ねられた状態をより安定して保持することができる。
【００５６】
なお、第１留め具２５または第２留め具２６による仮留めとは、使い捨ておむつ１の使用前に、第１留め具２５または第２留め具２６を止着対応部１０ではなくそれ以外の部材（例えば、止着テープ２１のテープ基材２２やおむつ本体２のサイドシート６等）に脱着可能に止着されることを意味する。
【００５７】
止着テープ２１が第１折り目Ｆ１と第２折り目Ｆ２で折り返され第３折り目Ｆ３で折り返されない状態で、第１つまみ部２９と第２つまみ部３０の重ね合わせ部（すなわち、第１つまみ部２９と第２つまみ部３０が重ね合わされた部分）は中間部２８と重なることが好ましく、重ね合わせ部の全体が中間部２８と重なることがより好ましい。これにより、第１つまみ部２９と第２つまみ部３０の重ね合わせ状態が安定化される。
【００５８】
止着テープ２１が第１折り目Ｆ１と第２折り目Ｆ２で折り返され第３折り目Ｆ３で折り返されない状態で、第１つまみ部２９と第２つまみ部３０は止着テープ２１の固定部２７と重ならないことが好ましい。これにより、第１つまみ部２９と第２つまみ部３０が過剰に折り返されず、止着テープ２１の折り畳みを展開して使用する際に、止着テープ２１の取り扱い性が良好となる。
【００５９】
第３折り目Ｆ３は、止着テープ２１の中間部２８または固定部２７に形成されることが好ましく、中間部２８に形成されることがより好ましい。第３折り目Ｆ３が中間部２８に形成されることにより、止着テープ２１をおむつ本体２と重ねてコンパクトに折り畳むことができ、また止着テープ２１を第３折り目Ｆ３で安定して折り返すことができる。第３折り目Ｆ３は、おむつ本体２の幅方向ｘの側縁から５ｍｍ以内に形成されることが好ましく、３ｍｍ以内がより好ましく、２ｍｍ以内がさらに好ましい。
【００６０】
第３折り目Ｆ３は前後方向ｙに延びるように形成されることが好ましい。これにより、止着テープ２１を第３折り目Ｆ３で折り返した状態で、使い捨ておむつ１の幅方向ｘの側縁をすっきりと形成することができる。
【００６１】
第３折り目Ｆ３は、第１つまみ部２９および第２つまみ部３０には形成されないことが好ましい。これにより、第１つまみ部２９と第２つまみ部３０が過剰に折り返されず、止着テープ２１の折り畳みを展開して止着テープ２１を使用する際に、止着テープ２１の取り扱い性が良好となる。第３折り目Ｆ３は、図５に示されるように、止着テープ２１の中間部２８に形成され、かつ第１つまみ部２９と第２つまみ部３０には形成されないことが特に好ましい。
【００６２】
止着テープ２１は、図６に示すように第３折り目Ｆ３で折り返された状態で、肌面側から見て第１つまみ部２９の先端部と第２つまみ部３０の先端部が露出していないとともに、第１つまみ部２９と第２つまみ部３０の重ね合わせ部が露出していないことが好ましい。これにより、使い捨ておむつ１の使用前、止着テープ２１を折り畳んだ状態で、第１つまみ部２９と第２つまみ部３０の重ね合わせ状態がより安定して保持される。
【００６３】
第１つまみ部２９の先端部は、第１つまみ部２９の先端を含む部分、すなわち第１つまみ部２９の幅方向ｘの外方縁を含む部分として規定される。第１つまみ部２９の先端部は、第１つまみ部２９の第１留め具２５（第１留め具２５が複数設けられる場合は、最も先端側の第１留め具２５）よりも先端側の部分、すなわち第１つまみ部２９の第１留め具２５よりも幅方向ｘの外方部分として規定することもできる。
【００６４】
第２つまみ部３０の先端部は、第２つまみ部３０の先端を含む部分、すなわち第２つまみ部３０の幅方向ｘの外方縁を含む部分として規定される。第２つまみ部３０の先端部は、第２つまみ部３０の第２留め具２６（第２留め具２６が複数設けられる場合は、最も先端側の第２留め具２６）よりも先端側の部分、すなわち第２つまみ部３０の第２留め具２６よりも幅方向ｘの外方部分として規定することもできる。
【００６５】
図７〜図９には、本発明の使い捨ておむつに備えられる止着テープの他の例を示した。図７は、止着テープを展開した状態を肌面側から見た平面図を表し、図８は、図7に示した止着テープを第１折り目と第２折り目で折り返した状態を肌面側から見た平面図を表し、図９は、図８に示した止着テープをさらに第３折り目で折り返した状態を肌面側から見た平面図を表す。図７〜図９において、図３〜図６に示した止着テープと同じ構成部材は同一の参照符号を用いて示されている。下記の図７〜図９の止着テープの説明において、上記と重複する部分の説明は省略する。
【００６６】
図３〜図６に示した止着テープ２１は、第１つまみ部２９に第１留め具２５が２つ設けられ、第２つまみ部３０に第２留め具２６が２つ設けられていたが、図７〜図９に示した止着テープ２１は、第１つまみ部２９に第１留め具２５が１つのみ設けられ、第２つまみ部３０に第２留め具２６が１つのみ設けられている。第１折り目Ｆ１で折り返された第１つまみ部２９は、第１留め具２５で止着テープ２１の中間部２８に仮留めされている。第２折り目Ｆ２で折り返された第２つまみ部３０は、第２留め具２６で第１つまみ部２９と中間部２８に仮留めされている。具体的には、第２留め具２６は、第１つまみ部２９のテープ基材２２の第２面（すなわち第１留め具２５が設けられた面と反対側の面）と中間部２８のテープ基材２２の第１面（すなわち第１および第２留め具２５，２６が設けられた面）とに跨って仮留めされている。このように第２留め具２６を仮留めすることにより、止着テープ２１を折り畳んだ状態で、第１つまみ部２９と第２つまみ部３０の重ね合わせ状態が安定化される。
【００６７】
図１０〜図１２には、本発明の使い捨ておむつに備えられる止着テープのさらに他の例を示した。図１０は、止着テープを展開した状態を肌面側から見た平面図を表し、図１１は、図１０に示した止着テープを第１折り目と第２折り目で折り返した状態を肌面側から見た平面図を表し、図１２は、図１１に示した止着テープをさらに第３折り目で折り返した状態を肌面側から見た平面図を表す。図１０〜図１２において、図３〜図６に示した止着テープと同じ構成部材は同一の参照符号を用いて示されている。下記の図１０〜図１２の止着テープの説明において、上記と重複する部分の説明は省略する。
【００６８】
図３〜図６に示した止着テープ２１は、第２つまみ部３０が第２留め具２６で第１つまみ部２９に仮留めされていたが、図１０〜図１２に示した止着テープ２１は、第１つまみ部２９と第２つまみ部３０の重ね合わせ部において、第２つまみ部３０が仮接合部３１で第１つまみ部２９に仮留めされている。このように第２つまみ部３０が仮接合部３１で第１つまみ部２９に仮留めされることにより、止着テープ２１を折り畳んだ状態で、第１つまみ部２９と第２つまみ部３０の重ね合わせ状態が安定化される。また、使い捨ておむつ１の着用の際、第１つまみ部２９と第２つまみ部３０を重ね合わせた状態で止着テープ２１の折り畳みを展開し、止着対応部１０に止着することが容易になる。第１つまみ部２９と第２つまみ部３０を互いに重ね合わせない状態で使用する場合は、仮接合部３１での第２つまみ部３０の第１つまみ部２９への仮留めを解除することで、第１つまみ部２９と第２つまみ部３０を別々に使用することもできる。仮接合部３１は、第２つまみ部３０のテープ基材２２の第１面（すなわち第２留め具２６が設けられた面）と第１つまみ部２９のテープ基材２２の第２面（すなわち第１留め具２５が設けられた面と反対側の面）とが直接接合するように形成されることが好ましい。
【００６９】
仮接合部３１は、第２つまみ部３０が第１つまみ部２９から脱着可能に接合されていればよく、接着剤、溶着、圧着等により形成することができる。例えば、第１つまみ部２９の第２面または第２つまみ部３０の第１面に接着剤を塗工し、第１つまみ部２９に第２つまみ部３０を重ね合わせることで、第２つまみ部３０を第１つまみ部２９に仮留めすることができる。あるいは、第１つまみ部２９に第２つまみ部３０を重ね合わせた状態で、第１つまみ部２９と第２つまみ部３０をヒートシールや超音波溶着により溶着したり、エンボスロール等に挟んで圧着することにより、第２つまみ部３０を第１つまみ部２９に仮留めすることができる。この場合、第１つまみ部２９と第２つまみ部３０とともに中間部２８も一緒に溶着または圧着してもよい。なお圧着により第２つまみ部３０を第１つまみ部２９に仮留めする場合、第１つまみ部２９と第２つまみ部３０の構成材料は溶融していない。
【００７０】
仮接合部３１は、散点状またはストライプ状のパターンで設けられていることが好ましい。このように仮接合部３１を設けることにより、仮接合部３１が形成された領域で第１つまみ部２９と第２つまみ部３０が部分的に接合され、第２つまみ部３０の第１つまみ部２９への仮留めを解除することが容易になる。そのため、仮接合部３１での仮留めを解除する際に、テープ基材２２が破断することが起こりにくくなる。また、第２つまみ部３０が第１つまみ部２９に仮留めされている状態で仮接合部３１の一部が解除されても、仮接合部３１の全体が一度に解除されにくくなり、第２つまみ部３０を第１つまみ部２９に重ね合わせた状態が安定して保持される。
【００７１】
図１０〜図１２に示した止着テープ２１では、仮接合部３１がストライプ状のパターンでも設けられており、この場合、仮接合部３１は第２つまみ部３０の延在方向と略垂直方向に延びるストライプ状のパターンで設けられることが好ましい。これにより、第２つまみ部３０の先端側から仮接合部３１が解除されても、仮接合部３１の全体が一度に解除されにくくなる。
【００７２】
図１０〜図１２に示した止着テープ２１では、第２つまみ部３０に第２留め具２６が複数設けられ、第２つまみ部３０は複数の第２留め具２６の間で第１つまみ部２９と重ね合わされている。これにより、使い捨ておむつ１の着用の際、第１つまみ部２９と第２つまみ部３０を重ね合わせた状態で、第２つまみ部３０を第２留め具２６によって止着対応部１０により強固に止着することが可能となる。この場合、仮接合部３１は、第１つまみ部２９の複数の第１留め具２５の間および第２つまみ部３０の複数の第２留め具２６の間に設けられることが好ましく、これにより、第１つまみ部２９と第２つまみ部３０を重ね合わせた状態で、止着テープ２１の折り畳みを展開して、止着対応部１０に止着する作業を安定して行うことができる。
【００７３】
仮接合部３１は、第１留め具２５および第２留め具２６と重ならない位置に形成されることが好ましい。これにより、仮接合部３１を形成する際に、第１留め具２５や第２留め具２６の損傷を防ぐことができる。
【００７４】
図１３〜図１５には、本発明の使い捨ておむつに備えられる止着テープのさらに他の例を示した。図１３は、止着テープを展開した状態を肌面側から見た平面図を表し、図１４は、図１３に示した止着テープを第１折り目と第２折り目で折り返した状態を肌面側から見た平面図を表し、図１５は、図１４に示した止着テープをさらに第３折り目で折り返した状態を肌面側から見た平面図を表す。図１３〜図１５において、図１０〜図１２に示した止着テープと同じ構成部材は同一の参照符号を用いて示されている。下記の図１３〜図１５の止着テープの説明において、上記と重複する部分の説明は省略する。
【００７５】
図３〜図１２に示した止着テープ２１は、第１折り目Ｆ１と第２折り目Ｆ２が前後方向ｙに対して斜めに延びるように形成されていたが、図１３〜図１５に示した止着テープ２１は、第１折り目Ｆ１が前後方向ｙに対して斜めに延びるように形成され、第２折り目Ｆ２が前後方向ｙに延びるように形成されている。止着テープ２１はこのように第１折り目Ｆ１と第２折り目Ｆ２で折り返されていてもよい。第１折り目Ｆ１は中間部２８に形成されているが、中間部２８から第１つまみ部２９または第２つまみ部３０にかけて形成されてもよい。第２折り目Ｆ２は第２つまみ部３０に形成されているが、中間部２８に形成されていてもよい。また図面には示されていないが、第１折り目Ｆ１が前後方向ｙに延びるように形成され、第２折り目Ｆ２が前後方向ｙに対して斜めに延びるように形成されていてもよい。
【００７６】
図１３〜図１５に示した止着テープ２１は、第１つまみ部２９と第２つまみ部３０の重ね合わせ部において、第２つまみ部３０が仮接合部３１で第１つまみ部２９に仮留めされており、仮接合部３１が散点状のパターンで設けられている。このように仮接合部３１を設けることにより、第２つまみ部３０の第１つまみ部２９への仮留めを解除することが容易になり、仮接合部３１での仮留めを解除する際にテープ基材２２が破断しにくくなる。
【符号の説明】
【００７７】
１：  使い捨ておむつ
２：  おむつ本体
３：  トップシート
４：  バックシート
５：  吸収体
２１：  止着テープ
２２：  テープ基材
２５：  第１留め具
２６：  第２留め具
２７：  固定部
２８：  中間部
２９：  第１つまみ部
３０：  第２つまみ部
３１：  仮接合部
Ｆ１：  第１折り目
Ｆ２：  第２折り目
Ｆ３：  第３折り目
【要約】
【課題】着用の際に止着テープの重ね留めを容易に行うことができる使い捨ておむつを提供する。
【解決手段】おむつ本体２の幅方向ｘの両側に止着テープ２１が設けられた使い捨ておむつ１であって、止着テープ２１は、おむつ本体２に取り付けられた固定部２７と、固定部２７から幅方向ｘに延在する中間部２８と、中間部２８から幅方向ｘに延在し前後方向ｙに離隔して設けられた第１つまみ部２９と第２つまみ部３０とを有し、止着テープ２１は、第１つまみ部２９が第１折り目Ｆ１で折り返され、第２つまみ部３０が第２折り目Ｆ２で折り返されて第１つまみ部２９に重ね合わされ、さらに第３折り目Ｆ３で第１つまみ部２９と第２つまみ部３０を内側にして折り返され、第３折り目Ｆ３で折り返された状態で、肌面側から見て、第１つまみ部２９の先端部と第２つまみ部３０の先端部が露出していない。
【選択図】図１【図１】
0006867523.tif 000002
【図２】
0006867523.tif 000003
【図３】
0006867523.tif 000004
【図４】
0006867523.tif 000005
【図５】
0006867523.tif 000006
【図６】
0006867523.tif 000007
【図７】
0006867523.tif 000008
【図８】
0006867523.tif 000009
【図９】
0006867523.tif 000010
【図１０】
0006867523.tif 000011
【図１１】
0006867523.tif 000012
【図１２】
0006867523.tif 000013
【図１３】
0006867523.tif 000014
【図１４】
0006867523.tif 000015
【図１５】
0006867523.tif 000016
【図１６】
0006867523.tif 000017